【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
波伝搬構造と、
上記波伝搬構造に沿って配置された複数の散乱素子とを備えたアンテナであり、
上記複数の散乱素子は、
素子間の間隔が、上記アンテナの動作周波数に対応する自由空間波長よりも実質的に小さく、
上記波伝搬構造の誘導波モードに対する複数の独立した変動電磁応答を有しており、
上記複数の独立した変動電磁応答は、上記アンテナの変動照射野を提供することを特徴とするアンテナ。
【請求項２】
上記複数の散乱素子は、複数の略同一の散乱素子であることを特徴とする請求項１に記載のアンテナ。
【請求項３】
上記複数の独立した変動電磁応答は、上記波伝搬構造の上記誘導波モードに対する有効媒質応答を提供することを特徴とする請求項１に記載のアンテナ。
【請求項４】
上記複数の独立した変動電磁応答は、複数の磁気双極子照射野であることを特徴とする請求項１に記載のアンテナ。
【請求項５】
上記動作周波数は、マイクロ波周波数であることを特徴とする請求項１に記載のアンテナ。
【請求項６】
上記マイクロ波周波数は、Ｋａ帯周波数であることを特徴とする請求項５に記載のアンテナ。
【請求項７】
上記マイクロ波周波数は、Ｋｕ帯周波数であることを特徴とする請求項５に記載のアンテナ。
【請求項８】
上記マイクロ波周波数は、Ｑ帯周波数であることを特徴とする請求項５に記載のアンテナ。
【請求項９】
上記素子間の間隔は、上記自由空間波長の４分の１の長さよりも小さいことを特徴とする請求項１に記載のアンテナ。
【請求項１０】
上記素子間の間隔は、上記自由空間波長の５分の１の長さよりも小さいことを特徴とする請求項１に記載のアンテナ。
【請求項１１】
上記波伝搬構造は、１つ以上の導電面と、当該１つ以上の導電面内の複数の開口部に対応する上記複数の散乱素子とを含むことを特徴とする請求項１に記載のアンテナ。
【請求項１２】
上記波伝搬構造は、略二次元の波伝搬構造であることを特徴とする請求項１１に記載のアンテナ。
【請求項１３】
上記略二次元の波伝搬構造は、平行板導波管であり、
上記１つ以上の導電面は、上記平行板導波管の上部導電体であることを特徴とする請求項１２に記載のアンテナ。
【請求項１４】
上記波伝搬構造は、１つ以上の略一次元の波伝搬構造を含むことを特徴とする請求項１１に記載のアンテナ。
【請求項１５】
上記１つ以上の略一次元の波伝搬構造は、略二次元のアンテナ領域を構成する複数の略一次元の波伝搬構造であることを特徴とする請求項１４に記載のアンテナ。
【請求項１６】
上記１つ以上の略一次元の波伝搬構造は、１つ以上のマイクロストリップを含むことを特徴とする請求項１４に記載のアンテナ。
【請求項１７】
上記１つ以上の導電面は、上記１つ以上のマイクロストリップ各々の１つ以上の上部導電体であることを特徴とする請求項１６に記載のアンテナ。
【請求項１８】
上記１つ以上の導電面は、上記１つ以上のマイクロストリップの１つ以上の上部導電体に平行に配置された１つ以上の導電ストリップであることを特徴とする請求項１６に記載のアンテナ。
【請求項１９】
上記１つ以上の略一次元の波伝搬構造は、１つ以上の共面導波管を含むことを特徴とする請求項１４に記載のアンテナ。
【請求項２０】
上記１つ以上の導電面は、上記１つ以上の共面導波管の上に配置されていることを特徴とする請求項１９に記載のアンテナ。
【請求項２１】
上記１つ以上の略一次元の波伝搬構造は、１つ以上の閉塞導波管を含むことを特徴とする請求項１４の記載のアンテナ。
【請求項２２】
上記１つ以上の閉塞導波管は、１つ以上の長方形導波管を含むことを特徴とする請求項２１に記載のアンテナ。
【請求項２３】
上記１つ以上の長方形導波管は、１つ以上の二重リッジの長方形導波管を含むことを特徴とする請求項２２に記載のアンテナ。
【請求項２４】
上記１つ以上の導電面は、上記１つ以上の閉塞導波管各々の１つ以上の上面であることを特徴とする請求項２１に記載のアンテナ。
【請求項２５】
上記１つ以上の導電面は、上記１つ以上の閉塞導波管各々の１つ以上の上面上に配置されており、
上記１つ以上の上面は、上記１つ以上の導電面内の上記複数の開口部に隣接した複数のアイリスを含むことを特徴とする請求項２１に記載のアンテナ。
【請求項２６】
上記複数の開口部は、上記１つ以上の導電面と電気的に絶縁された複数の島状導電部各々を規定し、
上記アンテナは、
上記１つ以上の導電面と上記複数の島状導電部各々との間それぞれに、バイアス電圧を印加するように構成された複数のバイアス電圧線と、
上記複数の開口部の周辺に少なくとも部分的に配置された電気的調整材料とをさらに備えることを特徴とする請求項１１に記載のアンテナ。
【請求項２７】
上記電気的調整材料は、液晶材料であることを特徴とする請求項２６に記載のアンテナ。
【請求項２８】
上記液晶材料は、ネマチック液晶であることを特徴とする請求項２７に記載のアンテナ。
【請求項２９】
上記液晶材料は、二周波液晶であることを特徴とする請求項２７に記載のアンテナ。
【請求項３０】
上記液晶材料は、高分子網目液晶であることを特徴とする請求項２７に記載のアンテナ。
【請求項３１】
上記液晶材料は、高分子分散液晶であることを特徴とする請求項２７に記載のアンテナ。
【請求項３２】
上記複数の開口部は、上記１つ以上の導電面と電気的に絶縁された複数の島状
導電部各々を規定し、行列状に配置されており、
上記アンテナは、
上記１つ以上の導電面と上記複数の島状導電部各々との間それぞれに、バイアス電圧を印加するように構成された複数のバイアス回路と、
上記複数のバイアス回路の列を各々がアドレス指定する１組の列制御線と、
上記複数のバイアス回路の行を各々がアドレス指定する１組の行制御線と、
上記複数の開口部の周辺に少なくとも部分的に配置された電気的調整材料とをさらに備えることを特徴とする請求項１１に記載のアンテナ。
【請求項３３】
上記複数のバイアス回路各々は、上記複数の開口部に隣接する位置に行列状に配置されていることを特徴とする請求項３２に記載のアンテナ。
【請求項３４】
上記複数の開口部は、上記誘導波の磁場に対する複数の磁気双極子応答を有する複数の相補的メタマテリアル要素を規定することを特徴とする請求項１１に記載のアンテナ。
【請求項３５】
上記複数の相補的メタマテリアル要素は、複数の相補的電気ＬＣメタマテリアル要素であることを特徴とする請求項３４に記載のアンテナ。
【請求項３６】
上記複数の磁気双極子応答は、上記１つ以上の導電面に平行に方向づけられた複数の面内磁気双極子応答であることを特徴とする請求項３４に記載のアンテナ。
【請求項３７】
上記複数の面内磁気双極子応答は、上記１つ以上の導電面に平行な第１方向に方向づけられた複数の第１面内磁気双極子と、上記第１方向に垂直であり、かつ、上記１つ以上の導電面に平行な第２方向に方向づけられた複数の第２面内磁気双極子とを含むことを特徴とする請求項３６に記載のアンテナ。
【請求項３８】
対応する複数の第１位相を複数の位置各々に届けるための第１誘導波を伝搬する工程と、
複数の位置各々の中から選択された第１組の位置で上記第１誘導波に結合させ、当該第１組の位置で第１照射野を生成する複数の第１電磁振動を生じさせる工程と、
上記複数の第１位相と略同等であり、対応する複数の第２位相を上記複数の位置各々に届けるための第２誘導波を伝搬する工程と、
複数の位置各々の中から選択された第２組の位置で上記第２誘導波に結合させ、当該第２組の位置で第１照射野とは異なる第２照射野を生成する複数の第２電磁振動を生じさせる工程とを含むことを特徴とする方法。
【請求項３９】
上記第１誘導波、および上記第１照射野は、第１干渉縞を規定し、上記複数の位置各々の中から選択された上記第１組の位置は、上記第１干渉縞の建設的干渉領域内の１組の位置に対応し、
上記第２誘導波、および上記第２照射野は、上記第１干渉縞とは異なる第２干渉縞を規定し、上記複数の位置各々の中から選択された上記第２組の位置は、上記第２干渉縞の建設的干渉領域内の１組の位置に対応することを特徴とする請求項３８に記載の方法。
【請求項４０】
複数の位置で第１自由空間波を受け取る工程と、
複数の位置各々の中から選択された第１組の位置で上記第１自由空間波に結合させ、対応する複数の第１位相を有する第１誘導波を上記複数の位置で生成する複数の第１電磁振動を当該第１組の位置で生じさせる工程と、
複数の位置で第１自由空間波とは異なる第２自由空間波を受け取る工程と、
複数の位置各々の中から選択された第２組の位置で上記第２自由空間波に結合させ、複数の第１位相と略同等であり、対応する複数の第２位相を有する第２誘導波を上記複数の位置で生成する複数の第２電磁振動を当該第２組の位置で生じさせる工程とを含むことを特徴とする方法。
【請求項４１】
上記第１誘導波、および上記第１自由空間波は、第１干渉縞を規定し、上記複数の位置各々の中から選択された上記第１組の位置は、上記第１干渉縞の建設的干渉領域内の１組の位置に対応し、
上記第２誘導波、および上記第２自由空間波は、上記第１干渉縞とは異なる第２干渉縞を規定し、上記複数の位置各々の中から選択された上記第２組の位置は、上記第２干渉縞の建設的干渉領域内の１組の位置に対応することを特徴とする請求項４０に記載の方法。
【手続補正２】
【補正対象書類名】明細書
【補正対象項目名】００６３
【補正方法】変更
【補正の内容】
【００６３】
本明細書において様々な態様および実施形態が開示されてきたが、当業者であれば、他の態様および実施形態も明白である。以下の特許請求の範囲により示されている真の範疇および精神を伴いながら、本書に開示されている様々な態様および実施形態は、説明のためのものであり、限定的であるように意図されているものではない。
〔まとめ〕
本発明に係るアンテナ、方法およびシステムは、以下のように表現することもできる。（１）波伝搬構造と、
上記波伝搬構造に沿って配置された複数の散乱素子とを備えたアンテナであり、
上記複数の散乱素子は、
素子間の間隔が、上記アンテナの動作周波数に対応する自由空間波長よりも実質的に小さく、
上記波伝搬構造の誘導波モードあるいは表面波モードに対する複数の独立した変動電磁応答を有しており、
上記複数の独立した変動電磁応答は、上記アンテナの変動照射野を提供することを特徴とするアンテナ。
（２）上記複数の散乱素子は、複数の略同一の散乱素子であることを特徴とする（１）に記載のアンテナ。
（３）上記複数の独立した変動電磁応答は、上記波伝搬構造の上記誘導波モードあるいは上記表面波モードに対する有効媒質応答を提供することを特徴とする（１）に記載のアンテナ。
（４）上記複数の独立した変動電磁応答は、複数の磁気双極子照射野であることを特徴とする（１）に記載のアンテナ。
（５）上記動作周波数は、マイクロ波周波数であることを特徴とする（１）に記載のアンテナ。
（６）上記マイクロ波周波数は、Ｋａ帯周波数であることを特徴とする（５）に記載のアンテナ。
（７）上記マイクロ波周波数は、Ｋｕ帯周波数であることを特徴とする（５）に記載のアンテナ。
（８）上記マイクロ波周波数は、Ｑ帯周波数であることを特徴とする（５）に記載のアンテナ。
（９）上記素子間の間隔は、上記自由空間波長の４分の１の長さよりも小さいことを特徴とする（１）に記載のアンテナ。
（１０）上記素子間の間隔は、上記自由空間波長の５分の１の長さよりも小さいことを特徴とする（１）に記載のアンテナ。
（１１）上記波伝搬構造は、１つ以上の導電面と、当該１つ以上の導電面内の複数の開口部に対応する上記複数の散乱素子とを含むことを特徴とする（１）に記載のアンテナ。
（１２）
上記波伝搬構造は、略二次元の波伝搬構造であることを特徴とする（１１）に記載のアンテナ。
（１３）上記略二次元の波伝搬構造は、平行板導波管であり、
上記１つ以上の導電面は、上記平行板導波管の上部導電体であることを特徴とする（１２）に記載のアンテナ。
（１４）上記波伝搬構造は、１つ以上の略一次元の波伝搬構造を含むことを特徴とする（１１）に記載のアンテナ。
（１５）上記１つ以上の略一次元の波伝搬構造は、略二次元のアンテナ領域を構成する複数の略一次元の波伝搬構造であることを特徴とする（１４）に記載のアンテナ。
（１６）上記１つ以上の略一次元の波伝搬構造は、１つ以上のマイクロストリップを含むことを特徴とする（１４）に記載のアンテナ。
（１７）上記１つ以上の導電面は、上記１つ以上のマイクロストリップ各々の１つ以上の上部導電体であることを特徴とする（１６）に記載のアンテナ。
（１８）上記１つ以上の導電面は、上記１つ以上のマイクロストリップの１つ以上の上部導電体に平行に配置された１つ以上の導電ストリップであることを特徴とする（１６）に記載のアンテナ。
（１９）上記１つ以上の略一次元の波伝搬構造は、１つ以上の共面導波管を含むことを特徴とする（１４）に記載のアンテナ。
（２０）上記１つ以上の導電面は、上記１つ以上の共面導波管の上に配置されていることを特徴とする（１９）に記載のアンテナ。
（２１）上記１つ以上の略一次元の波伝搬構造は、１つ以上の閉塞導波管を含むことを特徴とする（１４）の記載のアンテナ。
（２２）上記１つ以上の閉塞導波管は、１つ以上の長方形導波管を含むことを特徴とする（２１）に記載のアンテナ。
（２３）上記１つ以上の長方形導波管は、１つ以上の二重リッジの長方形導波管を含むことを特徴とする（２２）に記載のアンテナ。
（２４）上記１つ以上の導電面は、上記１つ以上の閉塞導波管各々の１つ以上の上面であることを特徴とする（２１）に記載のアンテナ。
（２５）上記１つ以上の導電面は、上記１つ以上の閉塞導波管各々の１つ以上の上面上に配置されており、
上記１つ以上の上面は、上記１つ以上の導電面内の上記複数の開口部に隣接した複数のアイリスを含むことを特徴とする（２１）に記載のアンテナ。
（２６）上記複数の開口部は、上記１つ以上の導電面と電気的に絶縁された複数の島状導電部各々を規定し、
上記アンテナは、
上記１つ以上の導電面と上記複数の島状導電部各々との間それぞれに、バイアス電圧を印加するように構成された複数のバイアス電圧線と、
上記複数の開口部の周辺に少なくとも部分的に配置された電気的調整材料とをさらに備えることを特徴とする（１１）に記載のアンテナ。
（２７）上記電気的調整材料は、液晶材料であることを特徴とする（２６）に記載のアンテナ。
（２８）上記液晶材料は、ネマチック液晶であることを特徴とする（２７）に記載のアンテナ。
（２９）上記液晶材料は、二周波液晶であることを特徴とする（２７）に記載のアンテナ。
（３０）上記液晶材料は、高分子網目液晶であることを特徴とする（２７）に記載のアンテナ。
（３１）上記液晶材料は、高分子分散液晶であることを特徴とする（２７）に記載のアンテナ。
（３２）上記複数の開口部は、上記１つ以上の導電面と電気的に絶縁された複数の島状
導電部各々を規定し、行列状に配置されており、
上記アンテナは、
上記１つ以上の導電面と上記複数の島状導電部各々との間それぞれに、バイアス電圧を印加するように構成された複数のバイアス回路と、
上記複数のバイアス回路の列を各々がアドレス指定する１組の列制御線と、
上記複数のバイアス回路の行を各々がアドレス指定する１組の行制御線と、
上記複数の開口部の周辺に少なくとも部分的に配置された電気的調整材料とをさらに備えることを特徴とする（１１）に記載のアンテナ。
（３３）上記複数のバイアス回路各々は、上記複数の開口部に隣接する位置に行列状に配置されていることを特徴とする（３２）に記載のアンテナ。
（３４）上記複数の開口部は、上記誘導波あるいは上記表面波の磁場に対する複数の磁気双極子応答を有する複数の相補的メタマテリアル要素を規定することを特徴とする（１１）に記載のアンテナ。
（３５）上記複数の相補的メタマテリアル要素は、複数の相補的電気ＬＣメタマテリアル要素であることを特徴とする（３４）に記載のアンテナ。
（３６）上記複数の磁気双極子応答は、上記１つ以上の導電面に平行に方向づけられた複数の面内磁気双極子応答であることを特徴とする（３４）に記載のアンテナ。
（３７）上記複数の面内磁気双極子応答は、上記１つ以上の導電面に平行な第１方向に方向づけられた複数の第１面内磁気双極子と、上記第１方向に垂直であり、かつ、上記１つ以上の導電面に平行な第２方向に方向づけられた複数の第２面内磁気双極子とを含むことを特徴とする（３６）に記載のアンテナ。
（３８）対応する複数の第１位相を複数の位置各々に届けるための第１誘導波あるいは表面波を伝搬する工程と、
複数の位置各々の中から選択された第１組の位置で上記第１誘導波あるいは表面波に結合させ、当該第１組の位置で第１照射野を生成する複数の第１電磁振動を生じさせる工程と、
上記複数の第１位相と略同等であり、対応する複数の第２位相を上記複数の位置各々に届けるための第２誘導波あるいは表面波を伝搬する工程と、
複数の位置各々の中から選択された第２組の位置で上記第２誘導波あるいは表面波に結合させ、当該第２組の位置で第１照射野とは異なる第２照射野を生成する複数の第２電磁振動を生じさせる工程とを含むことを特徴とする方法。
（３９）上記第１誘導波あるいは表面波、および上記第１照射野は、第１干渉縞を規定し、上記複数の位置各々の中から選択された上記第１組の位置は、上記第１干渉縞の建設的干渉領域内の１組の位置に対応し、
上記第２誘導波あるいは表面波、および上記第２照射野は、上記第１干渉縞とは異なる第２干渉縞を規定し、上記複数の位置各々の中から選択された上記第２組の位置は、上記第２干渉縞の建設的干渉領域内の１組の位置に対応することを特徴とする（３８）に記載の方法。
（４０）複数の位置で第１自由空間波を受け取る工程と、
複数の位置各々の中から選択された第１組の位置で上記第１自由空間波に結合させ、対応する複数の第１位相を有する第１誘導波あるいは表面波を上記複数の位置で生成する複数の第１電磁振動を当該第１組の位置で生じさせる工程と、
複数の位置で第１自由空間波とは異なる第２自由空間波を受け取る工程と、
複数の位置各々の中から選択された第２組の位置で上記第２自由空間波に結合させ、複数の第１位相と略同等であり、対応する複数の第２位相を有する第２誘導波あるいは表面波を上記複数の位置で生成する複数の第２電磁振動を当該第２組の位置で生じさせる工程とを含むことを特徴とする方法。
（４１）上記第１誘導波あるいは表面波、および上記第１自由空間波は、第１干渉縞を規定し、上記複数の位置各々の中から選択された上記第１組の位置は、上記第１干渉縞の建設的干渉領域内の１組の位置に対応し、
上記第２誘導波あるいは表面波、および上記第２自由空間波は、上記第１干渉縞とは異なる第２干渉縞を規定し、上記複数の位置各々の中から選択された上記第２組の位置は、上記第２干渉縞の建設的干渉領域内の１組の位置に対応することを特徴とする（４０）に記載の方法。
（４２）第１アンテナ照射パターンを選択する工程と、
１つ以上の制御入力に対して変動的に応答する表面散乱アンテナについて、選択された上記第１アンテナ照射パターンに対応する上記１つ以上の制御入力の第１値を決定する工程とを含むことを特徴とする方法。
（４３）上記表面散乱アンテナは、上記１つ以上の制御入力の機能である変動物理パラメータを各々が有する複数の散乱素子を有していることを特徴とする（４２）に記載の方法。
（４４）上記１つ以上の制御入力の第１値を決定する工程は、
選択された上記第１アンテナ放射パターンを提供するために、各上記変動物理パラメータの各々の第１値を決定する工程と、
各上記変動物理パラメータに関して決定された上記各々の第１値に対応する上記１つ以上の制御入力の上記第１値を決定する工程とを含むことを特徴とする（４３）に記載の方法。
（４５）各上記変動物理パラメータは、上記複数の散乱素子の各変動共振周波数であることを特徴とする（４３）に記載の方法。
（４６）上記１つ以上の制御入力は、上記複数の散乱素子のための複数のバイアス電圧各々を含むことを特徴とする（４３）に記載の方法。
（４７）上記複数の散乱素子は、列および行によってアドレス指定可能であり、
上記１つ以上の制御入力は、１組の列入力部および１組の行入力部を含むことを特徴とする（４３）に記載の方法。
（４８）上記複数の散乱素子は、調整ゲインを有する１組の給電線によって給電され、
上記１つ以上の制御入力は、上記調整ゲインを含むことを特徴とする（４３）に記載の方法。
（４９）上記表面散乱アンテナのための上記１つ以上の制御入力の上記第１値を提供する工程をさらに含むことを特徴とする（４３）に記載の方法。
（５０）上記第１アンテナ照射パターンを選択する工程は、アンテナビーム方向を選択する工程を含むことを特徴とする（４２）に記載の方法。
（５１）上記アンテナビーム方向は、通信衛星の方向に対応することを特徴とする（５０）に記載の方法。
（５２）上記アンテナビーム方向は、通信基地局の方向に対応することを特徴とする（５０）に記載の方法。
（５３）上記アンテナビーム方向は、通信モバイルプラットフォームの方向に対応することを特徴とする（５０）に記載の方法。
（５４）上記第１アンテナ照射パターンを選択する工程は、１つ以上のヌル方向を選択する工程を含むことを特徴とする（４２）に記載の方法。
（５５）上記第１アンテナ照射パターンを選択する工程は、アンテナビーム幅を選択する工程を含むことを特徴とする（４２）に記載の方法。
（５６）上記第１アンテナ照射パターンを選択する工程は、多数のビームの配置を選択する工程を含むことを特徴とする（４２）に記載の方法。
（５７）上記第１アンテナ照射パターンを選択する工程は、全位相を選択する工程を含むことを特徴とする（４２）に記載の方法。
（５８）上記第１アンテナ照射パターンを選択する工程は、偏向状態を選択する工程を含むことを特徴とする（４２）に記載の方法。
（５９）選択された上記偏向状態は、円偏向状態であることを特徴とする（５８）に記載の方法。
（６０）選択された上記偏向状態は、直線偏向状態であることを特徴とする（５８）に記載の方法。
（６１）上記第１アンテナ照射パターンとは異なる第２アンテナ照射パターンを選択する工程と、
上記第２アンテナ照射パターンに対応する上記１つ以上の制御入力の第２値を決定する工程とをさらに含むことを特徴とする（４２）に記載の方法。
（６２）上記表面散乱アンテナのための上記１つ以上の制御入力の上記第２値を提供する工程をさらに含むことを特徴とする（６１）に記載の方法。
（６３）上記第１アンテナ照射パターンを選択する工程は、第１アンテナビーム方向を選択する工程を含み、
上記第２アンテナ照射パターンを選択する工程は、第１アンテナビーム方向とは異なる第２アンテナビーム方向を選択する工程を含むことを特徴とする（６１）に記載の方法。
（６４）選択された上記第１アンテナ照射パターンは、上記第１アンテナビーム方向に対応する第１偏向状態を提供し、
選択された上記第２アンテナ照射パターンは、上記第１偏向状態と略同等であり、上記第２アンテナビーム方向に対応する第２偏向状態を提供することを特徴とする（６３）に記載の方法。
（６５）上記第１偏向状態および上記第２偏向状態は、円偏向状態であることを特徴とする（６４）に記載の方法。
（６６）上記第１偏向状態および上記第２偏向状態は、直線偏向状態であることを特徴とする（６４）に記載の方法。
（６７）上記第１アンテナビーム方向および上記第２アンテナビーム方向は、第１通信衛星および第２通信衛星の方向に対応することを特徴とする（６３）に記載の方法。
（６８）上記第１アンテナビーム方向および上記第２アンテナビーム方向は、通信衛星、通信基地局、および通信モバイルプラットフォームを含む複数の物体の中から選択される第１物体および第２物体の方向に対応することを特徴とする（６３）に記載の方法。
（６９）１つ以上の第１制御入力に対応する第１変動照射パターンを有する第１表面散乱アンテナのための第１対象物を特定する工程と、
上記第１対象物と上記第１表面散乱アンテナとの間の第１相対運動に対応する上記第１変動照射パターンの実質的な連続変異を提供するために、上記１つ以上の第１制御入力を繰り返し調整する工程とを含むことを特徴とする方法。
（７０）上記第１相対運動は、上記第１対象物の変形であることを特徴とする（６９）に記載の方法。
（７１）上記第１相対運動は、上記第１表面散乱アンテナの変形あるいは回転であることを特徴とする（６９）に記載の方法。
（７２）上記第１相対運動は、上記第１対象物の変形と、上記第１表面散乱アンテナの変形あるいは回転との組み合わせであることを特徴とする（６９）に記載の方法。
（７３）上記第１変動照射パターンの実質的な連続変異は、上記第１変動照射パターンの最初のビーム内に上記第１対象物を実質的に保持するために選択されることを特徴とする（６９）に記載の方法。
（７４）上記第１変動照射パターンの実質的な連続変異は、上記第１変動照射パターンのヌル内に上記第１対象物を実質的に保持するために選択されることを特徴とする（６９）に記載の方法。
（７５）上記第１変動照射パターンの実質的な連続変異は、上記第１対象物の位置において実質的な連続偏向状態を提供するために選択されることを特徴とする（６９）に記載の方法。
（７６）上記実質的な連続偏向状態は、円偏向状態であることを特徴とする（７５）に記載の方法。
（７７）上記実質的な連続偏向状態は、直線偏向状態であることを特徴とする（７５）に記載の方法。
（７８）上記第１対象物は、通信衛星であることを特徴とする（６９）に記載の方法。
（７９）上記第１対象物は、通信基地局であることを特徴とする（６９）に記載の方法。
（８０）上記第１対象物は、通信モバイルプラットフォームであることを特徴とする（６９）に記載の方法。
（８１）１つ以上の第２制御入力に対応する第２変動照射パターンを有する第２表面散乱アンテナのための第２対象物を特定する工程と、
上記第２対象物と上記第２表面散乱アンテナとの間の相対運動に対応する上記第２変動照射パターンの実質的な連続変異を提供するために、上記１つ以上の第２制御入力を繰り返し調整する工程とを含むことを特徴とする方法。
（８２）上記第１対象物および上記第２対象物は、通信衛星のコンステレーションの構成部材であることを特徴とする（８１）に記載の方法。
（８３）上記第１相対運動は、上記第１対象物の変形であり、
上記第２相対運動は、上記第２対象物の変形であることを特徴とする（８１）に記載の方法。
（８４）上記第１相対運動は、上記第１対象物の変形と、上記第１表面アンテナの変形あるいは回転との組み合わせであり、
上記第２相対運動は、上記第２対象物の変形と、上記第２表面アンテナンの変形あるいは回転との組み合わせであり、
上記第１表面アンテナの変形あるいは回転は、上記第２表面アンテナの変形あるいは回転と同等であることを特徴とする（８１）に記載の方法。
（８５）上記第１変動照射パターンの実質的な連続変異は、上記第１変動照射パターンの最初のビーム内に上記第１対象物を実質的に保持するために選択され、
上記第２変動照射パターンの実質的な連続変異は、上記第２変動照射パターンの最初のビーム内に上記第２対象物を実質的に保持するために選択されることを特徴とする（８１）に記載の方法。
（８６）上記第１変動照射パターンの上記最初のビーム内に上記第２対象物を実質的に配置するために、上記１つ以上の第１制御入力を調整する工程をさらに含むことを特徴とする（８５）に記載の方法。
（８７）上記第１対象物および上記第２対象物とは異なる、第２表面散乱アンテナのための新たな対象物を特定する工程と、
上記第２変動照射パターンの上記最初のビーム内に上記新たな対象物を実質的に配置するために、上記１つ以上の第２制御入力を調整する工程をさらに含むことを特徴とする（８６）に記載の方法。
（８８）１つ以上の制御入力に変動的に応答する表面散乱アンテナと、
上記１つ以上の制御入力を提供するように構成されたアンテナ制御回路と、
上記表面散乱アンテナの給電構造に結合された通信回路とを備えることを特徴とするシステム。
（８９）上記表面散乱アンテナは、上記１つ以上の制御入力の機能である各変動物理パラメータを有する複数の散乱素子を有していることを特徴とする（８８）に記載のシステム。
（９０）上記１つ以上の制御入力は、上記複数の散乱素子のための複数のバイアス電圧各々を含むことを特徴とする（８９）に記載のシステム。
（９１）上記複数の散乱素子は、列および行によってアドレス指定可能であり、
上記１つ以上の制御入力は、１組の列入力部および１組の行入力部を含むことを特徴とする（８９）に記載のシステム。
（９２）上記給電構造は、複数の増幅器各々を有する複数の給電部を含み、
上記１つ以上の制御入力は、上記複数の増幅器各々の調整ゲインを含むことを特徴とする（８９）に記載のシステム。
（９３）上記アンテナ制御回路は、１組のアンテナ照射パターンパラメータと、それに対応する、上記１つ以上の制御入力に対する１組の値とを割り出すルックアップテーブルを含む記憶媒体を含むことを特徴とする（８８）に記載のシステム。
（９４）上記１組のアンテナ照射パターンパラメータは、１組のアンテナビーム方向を含むことを特徴とする（９３）に記載のシステム。
（９５）上記１組のアンテナ照射パターンパラメータは、１組のアンテナヌル方向を含むことを特徴とする（９３）に記載のシステム。
（９６）上記１組のアンテナ照射パターンパラメータは、１組のアンテナビーム幅を含むことを特徴とする（９３）に記載のシステム。
（９７）上記１組のアンテナ照射パターンパラメータは、１組の偏向状態を含むことを特徴とする（９３）に記載のシステム。
（９８）上記アンテナ制御回路は、所望のアンテナ照射パターンパラメータに対応する上記１つ以上の制御入力に対する１組の値を算出するように構成された処理回路を含むことを特徴とする（８８）に記載のシステム。
（９９）上記処理回路は、上記所望のアンテナ照射パターンパラメータに対応するホログラフィックパターンを演算することによって、上記１つ以上の制御入力に対する上記１組の値を算出するように構成されていることを特徴とする（９８）に記載のシステム。
（１００）上記表面散乱アンテナの環境条件を検出するように構成されたセンサユニットをさらに含むことを特徴とする（８８）に記載のシステム。
（１０１）上記センサユニットは、ＧＰＳセンサ、温度計、ジャイロスコープ、および歪みゲージの中から選択される１つ以上のセンサを含んでいることを特徴とする（１００）に記載のシステム。
（１０２）上記環境条件は、上記表面散乱アンテナの位置、方向、温度、あるいは機械的変形を含むことを特徴とする（１００）に記載のシステム。
（１０３）上記センサユニットは、上記アンテナ制御回路に対して環境条件データを提供するように構成されており、
上記アンテナ制御回路は、上記表面散乱アンテナの上記環境条件の変動を補正するために、上記１つ以上の制御入力を調整するように構成された回路を含んでいることを特徴とする（１００）に記載のシステム。